(57)【要約】【課題】ユーザが記憶するべき情報を減らしユーザの負担を軽減すること。【解決手段】ユーザの認証を行なうために数字及び指の画像を取得する情報処理装置であって、それぞれに数字が対応付けられた第１及び第２指紋読取領域を表示する表示手段と、前記第１指紋読取領域に対するユーザの指の当接を検知したタイミングで、前記第１指紋読取領域に対応する数字を取得する数字取得手段と、前記タイミングで、前記第１指紋読取領域において、当接した前記指の画像を読みとる画像読取手段と、を備えたことを特徴とする。【選択図】  図１
2012059084.tif 000002
【特許請求の範囲】
【請求項１】
ユーザの認証を行なうために数字及び指の画像を取得する情報処理装置であって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
を備えたことを特徴とする情報処理装置。
【請求項２】
前記表示手段は、さらに、前記画像読取手段において読み取る指の種類を表示することを特徴とする請求項１に記載の情報処理装置。
【請求項３】
前記表示手段は、前記第１及び第２指紋読取領域を含む複数の指紋読取領域を、それぞれに前記数字を付して表示することを特徴とする請求項１又は２に記載の情報処理装置。
【請求項４】
前記表示手段は、前記複数の指紋読取領域に対して、前記数字をランダムに表示することを特徴とする請求項３に記載の情報処理装置。
【請求項５】
前記情報処理装置は、前記数字取得手段及び前記画像読取手段を用いて、複数の数字及び指の画像を取得するものであって、
前記表示手段は、前記数字及び前記指の画像の取得の度に、前記第１及び第２指紋読取領域のそれぞれに、対応付けられる数字を変更して表示することを特徴とする請求項１乃至４のいずれか１項に記載の情報処理装置。
【請求項６】
前記数字取得手段で取得した前記数字、及び前記画像読取手段で読み取った前記指の画像を認証させるために送信する送信手段をさらに有することを特徴とする請求項１乃至５のいずれか１項に記載の情報処理装置。
【請求項７】
前記情報処理装置は、前記数字取得手段及び前記画像読取手段を用いて、複数の数字及び指の画像を取得するものであって、
前記数字取得手段で取得した複数の数字と、前記画像読取手段で読み取った複数の指の画像とを互いに対応付けて記憶する記憶手段をさらに有することを特徴とする請求項１乃至６のいずれか１項に記載の情報処理装置。
【請求項８】
ユーザの認証を行なうために数字及び指の画像を取得する情報処理システムであって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
前記数字取得手段で取得した数字及び前記画像読取手段で読み取った前記指の画像を認証する認証手段と、
を備えたことを特徴とする情報処理システム。
【請求項９】
ユーザの認証を行なうために数字及び指紋を取得する情報処理方法であって
それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
を含むことを特徴とする情報処理方法。
【請求項１０】
ユーザの認証を行なうために数字及び指の画像を取得する情報処理プログラムであって  それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
をコンピュータに実行させることを特徴とする情報処理プログラム。
【発明の詳細な説明】
【技術分野】
【０００１】
本発明は、生体認証技術を利用した情報処理技術に関する。
【背景技術】
【０００２】
特許文献１には、複数指の指紋認証を行なうにあたり、タブレットにおいて指が接触した位置と、その指の指紋との両方を用いてユーザ認証を行なう技術が開示されている。
【先行技術文献】
【特許文献】
【０００３】
【特許文献１】特許第3663075号公報
【発明の概要】
【発明が解決しようとする課題】
【０００４】
しかしながら、上記従来技術では、ユーザは、タブレットにおいて指紋を認証させる指の種類及び指を接触させる位置の順番を記憶しなければならず、ユーザが記憶する情報が増え、ユーザへの負担が増加していた。
【０００５】
本発明の目的は、上述の課題を解決する技術を提供することにある。
【課題を解決するための手段】
【０００６】
上記目的を達成するため、本発明に係る装置は、
ユーザの認証を行なうために数字及び指の画像を取得する情報処理装置であって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
を備えたことを特徴とする。
【０００７】
上記目的を達成するため、本発明に係るシステムは、
ユーザの認証を行なうために数字及び指の画像を取得する情報処理システムであって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
前記数字取得手段で取得した数字及び前記画像読取手段で読み取った前記指の画像を認証する認証手段と、
を備えたことを特徴とする。
【０００８】
上記目的を達成するため、本発明に係る方法は、
ユーザの認証を行なうために数字及び指紋を取得する情報処理方法であって
それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
を含むことを特徴とする。
【０００９】
上記目的を達成するため、本発明に係るプログラムは、
ユーザの認証を行なうために数字及び指の画像を取得する情報処理プログラムであって  それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
をコンピュータに実行させることを特徴とする。
【発明の効果】
【００１０】
本発明によれば、ユーザが記憶するべき情報を減らしユーザの負担を軽減することができる。
【図面の簡単な説明】
【００１１】
【図１】本発明の第１実施形態に係る情報処理装置の構成を示す図である。
【図２Ａ】本発明の第２実施形態に係る情報処理システムの構成を示す図である。
【図２Ｂ】本発明の第２実施形態に係る表示部２１０に１番目の数字を入力する場合を示す図である。
【図２Ｃ】本発明の第２実施形態に係る表示部２１０に２番目の数字を入力する場合を示す図である。
【図３】本発明の第２実施形態に係るシーケンス図である。
【図４】本発明の第２実施形態に係るＡＴＭ装置２のハードウェア構成を示す図である。
【図５】本発明の第２実施形態に係るＡＴＭ装置２の処理の流れを示すフローチャートである。
【図６】本発明の第２実施形態に係る銀行サーバ３のハードウェア構成を示す図である。
【図７】本発明の第２実施形態に係る銀行番号データベース２９０構成を示す図である。
【図８】本発明の第２実施形態に係る銀行サーバ３の処理の流れを示すフローチャートである。
【図９】本発明の第３実施形態に係る情報処理システムの構成を示す図である。
【図１０】本発明の第４実施形態に係る情報処理システムの構成を示す図である。
【図１１】本発明の第５実施形態に係る情報処理システムの構成を示す図である。
【発明を実施するための形態】
【００１２】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１３】
（第１実施形態)
図１は、本発明の第１実施形態としての情報処理装置の構成を示す図である。本実施形態の情報処理装置１は、表示部１０と、数字取得部２０と、画像読取部３０とを含む。
【００１４】
これらのうち、表示部１０は、それぞれに数字が対応付けられた第１及び第２指紋読取領域を表示する。数字取得部２０は、第１指紋読取領域に対するユーザの指の当接を検知したタイミングで、第１指紋読取領域に対応する数字を取得する。画像読取部３０は、そのタイミングで、第１指紋読取領域において、当接した指の画像を読みとる。
【００１５】
このように、ユーザが記憶するべき情報を減らしユーザの負担を軽減することができる。
【００１６】
（第２実施形態）
図２Ａは、本発明の第２実施形態としての情報処理装置を金融機関のＡＴＭ（Automatic Teller  Machine）装置に適用した場合の情報処理システム全体の構成を示すブロック図である。
【００１７】
図２Ａに示すとおり、本システムは、ＡＴＭ装置２と、銀行サーバ３とを備える。このうち、ＡＴＭ装置２は、表示部２１０、数字取得部２２０、画像読取部２３０、銀行番号取得部２４０、表示制御部２５０、及び、送信部２７０を含む。一方、銀行サーバ３は、認証部２８０、銀行番号データベース２９０、及び、指紋データベース２９１を含む。
【００１８】
表示部２１０は、たとえばタッチパネルであり、ユーザに対して、それぞれに数字が付された複数の指紋読取領域２１１を表示する。本実施形態では、１０個の指紋読取領域のそれぞれに、０から９までの数字が、ランダムに表示されている。ここでは、１つの数字が複数の箇所に重複して表示されることはない。また、表示部２１０は、どの指で指紋読取領域にタッチすべきかをユーザに指示する指示メッセージ２１２を表示する。
【００１９】
表示制御部２５０は、１０個の指紋読取領域２１１のそれぞれに表示すべき０から９までの数字をランダムに、表示部２１０に送信する。また、表示制御部２５０は、ユーザが指紋読取領域２１１にタッチすべき手の種類（右手か左手か）及び指の種類（親指、人差し指、中指、薬指、小指のいずれか１つ）を、ランダムに決定し、表示部２１０に送信する。
【００２０】
図２Ｂは、表示部２１０に、第１の数字を右手人差指で入力することをユーザに指示した状態を示す図である。図２Ｃは、表示部２１０に、第２の数字を右手中指で入力することをユーザに指示した状態を示す図である。図２Ｃに示すように、表示部２１０は、数字及び指の画像の取得の度に、指紋読取領域のそれぞれに、対応付けられる数字を変更して表示する。このように、ユーザはこの操作を繰り返すことにより、暗証番号と、指紋とを同時に入力することができる。
【００２１】
銀行番号取得部２４０は、ユーザが挿入したカードの銀行番号を取得する。数字取得部２２０は、ユーザがタッチした位置に表示された数字を取得する。画像読取部２３０は、ユーザがタッチした位置の指の画像を読みとる。送信部２７０は、認証部２８０に、ユーザの銀行番号と、数字取得部２２０が取得した数字の組からなる暗証番号、及び、ユーザの指の画像を送信する。認証部２８０は、前記送信された暗証番号及び読みとった指の画像と、銀行番号データベース２９０から送信された暗証番号及び指紋のデータとを照合して、ユーザが、カードの正当な使用者であることを認証する。銀行番号データベース２９０、及び、指紋データベース２９１は、ユーザの銀行番号と関連付けられた暗証番号及びユーザの指紋を記憶する。
【００２２】
図３は、第２実施形態のＡＴＭ装置２と銀行サーバ３とのやり取りを示すシーケンス図である。ステップＳ３０１で、ＡＴＭ装置２にカードが挿入されると、ステップＳ３０３で、カードに記憶された銀行番号（銀行名／支店名／口座番号など）を取得し、カードの正当性を認証する。
【００２３】
ステップＳ３０５で、ＡＴＭ装置２は、ユーザに暗証番号の入力を指示し、入力された暗証番号及び指の画像を銀行サーバ３に送信する。ステップＳ３０７で、銀行サーバ３は、暗証番号及び指の画像が、カードに関連付けられた暗証番号及び指紋であることを認証できた場合に、認証ＯＫの通知をＡＴＭ装置２に送信する。ステップＳ３０９で、ＡＴＭ装置２は、ユーザが任意の処理を選択した場合に、この処理の指示を銀行サーバ３に送信する。
【００２４】
ステップＳ３１１で、銀行サーバ３はこの指示に従い処理を実行し、処理が終了した場合に、処理が終了したことをＡＴＭ装置２に送信する。ステップＳ３１３で、ＡＴＭ装置２は、処理完了通知を表示部に表示し、ユーザに伝える。
【００２５】
図４は、第２実施形態に示したＡＴＭ装置２のハードウェア構成を示す図である。ＣＰＵ４３０は、演算処理用のプロセッサである。ＲＯＭ４４０は、固定のデータ及びプログラムを記憶する。通信制御部４５０は、銀行サーバ３との通信を制御する。
【００２６】
ＲＡＭ４０１は、ＣＰＵ４３０のワークエリアを提供する。このＲＡＭ４０１は、表示画面データ４０２、銀行番号４０３、暗証番号４０４、指紋データ４０５、処理の種類４０６を記憶する。大容量記憶部４１１は、数字パターンデータベース４１２、ＡＴＭ制御プログラム４１５、番号認識プログラム４１６、指紋取得プログラム４１７を記憶する。そして、この数字パターンデータベース４１２は、複数の異なるランダム数字パターン４１３と、ランダム数字パターン４１３に対応する座標・数字交換テーブル４１４との組とを記憶する。
【００２７】
入出力インタフェース４２０は、番号取得部４２１、数字取得部２２０、画像読取部２３０からの入力と、表示部２１０への出力を制御する。そして、この表示部２１０は、タッチパネルを有し、指示部２１２としても使用される。
【００２８】
図５は、第２実施形態に示したＡＴＭ装置２の処理手順を示すフローチャートである。ユーザが銀行カードをＡＴＭ装置２に挿入すると、ステップＳ５０１で銀行番号を読み取る。
【００２９】
ステップＳ５０２で、挿入された銀行番号をＡＴＭ装置２で使用できるか認証する。認証できなかった場合にはステップＳ５０３に進んで、エラーを表示する。一方、認証できた場合には、ステップＳ５０４に進んで、銀行番号を銀行サーバ３に送信する。ステップＳ５０５で、暗証番号及び指紋の入力画面を表示し、ユーザに暗証番号及び指紋の入力を指示する。
【００３０】
ステップＳ５０６で、暗証番号（１ケタ）及び指紋がユーザにより入力されたことを確認すると、ステップＳ５０７で、ユーザにより入力された暗証番号（１ケタ）及び指の
画像を記憶する。ステップＳ５０８で、入力された暗証番号（１ケタ）及び指の画像が、所定のケタ数に達したかをカウントし、所定のケタ数に達していない場合にはステップＳ５０５に戻る。一方、所定のケタ数に達している場合には、ステップＳ５０９に進んで、暗証番号及び指の画像を銀行サーバ３に送信する。
【００３１】
ステップＳ５１０で、銀行サーバ３から再入力を指示された場合には、ステップＳ５０５に戻る。銀行サーバ３から再入力の指示がなかった場合には、ステップＳ５１１に進んで、銀行サーバ３からの認証結果の通知を受ける。認証ＯＫでない場合には、ステップＳ５０５に戻る。認証ＯＫの場合には、ステップＳ５１２に進んで、処理選択画面を表示する。ステップＳ５１３で、ユーザが任意の処理を選択した場合には、ステップＳ５１４に進んで、ユーザに選択された任意の処理を銀行サーバ３に送信する。
【００３２】
図６は、第２実施形態に示した銀行サーバ３のハードウェア構成を示す図である。ＣＰＵ６３０は、演算処理用のプロセッサである。ＲＯＭ６４０は、固定のデータ及びプログラムを記憶する。通信制御部６５０は、ＡＴＭ装置２との通信を制御する。ＲＡＭ６０１は、銀行番号６０２、暗証番号６０３、指紋データ６０４、銀行番号チェック・フラグ６０５、暗証番号認証フラグ６０６、指紋データ認証フラグ６０７、処理の種類６０８、処理完了フラグ６０９を記憶する。
【００３３】
大容量記憶部６１１は、銀行データベース６１２、指紋データベース６１３、銀行サーバ制御プログラム６１４、銀行番号チェックプログラム６１５、暗証番号・指紋認証プログラム６１６、処理プログラム６１７を記憶する。出力インタフェース６２０には、表示部６２１及びプリンタ６２２が接続されている。入力インタフェース６６０には、キーボ―ド６７０及びマウス６８０が接続されている。
【００３４】
図７は、第２実施形態に示した銀行番号データベース２９０の構成を示す図である。ユーザの個人データ７０１・７０２（口座番号／名前、口座名、暗証番号など）が複数記憶されている。ただし、情報量が多量な指紋データは、指紋データベース７０３のように、個人データ７０１・７０２とは異なるデータベースとして記憶されてもよい。
【００３５】
図８は、第２実施形態に示した銀行サーバ３のフローチャートである。ステップＳ８０１で、ＡＴＭ装置２から送信された銀行番号を受信する。ステップＳ８０３で、ＡＴＭ装置２から送信された暗証番号及び指の画像データの受信を待って、受信できた場合にはステップＳ８０４に進む。
【００３６】
ステップＳ８０４で、暗証番号が銀行番号に関連付けられた番号でない場合には、ステップＳ８０５に進んで、暗証番号及び指紋の再入力を指示する。暗証番号が銀行番号に関連付けられた番号である場合には、ステップＳ８０６に進む。指紋が銀行番号に対応した指紋でない場合には、ステップＳ８０５暗証番号及び指紋の再入力を指示する。
【００３７】
ステップＳ８０６で、暗証番号及び指紋が銀行番号に関連付けられた暗証番号及び指紋と一致している場合には、ステップＳ８０７に進んで、本人の正当性を認証できたことをＡＴＭ装置２に送信する。ステップＳ８０８で、ユーザが選択した任意の処理をＡＴＭ装置２から受信した場合には、ステップＳ８０９に進んで、ユーザが選択した任意の処理を実行する。
【００３８】
（第３実施形態）
図９は、本発明の第３実施形態としての情報処理装置を金融機関のＡＴＭ（Automatic Teller  Machine）装置に利用した場合のシステム全体の構成を示すブロック図である。図９は、第２実施形態を示す図２Ａの認証部２８０が、ＡＴＭ装置２に含まれる場合を示している。図２Ａの参照番号と同じ参照番号を有する図９の構成要素は、同様の機能を果たす。
【００３９】
（第４実施形態）
図１０は、本発明の実施形態としての情報処理装置を入室・入館時に使用されるセキュリティチェック端末５に適用した場合のシステム全体の構成を示した図である。図１０は、図２Ａの銀行番号取得部２４０を除いた構成であって、図２Ａの銀行サーバ３が、データサーバ６に置き換わっている。さらに、図２Ａの銀行番号データベース２９０が、暗証番号データベース９９０に置き換わっているのみで、他の構成要素は同様である。
【００４０】
セキュリティチェック端末５は、表示部９１０の表示にしたがってーザが入力した数字を、数字取得部９２０で取得する。セキュリティチェック端末５は、表示部９１０の表示にしたがってユーザが数字を入力するのとほぼ同時に、指の画像を画像読取部９３０で読み取る。取得した数字及び読みとった指の画像は、送信部９７０により、認証部９８０に送信される。
【００４１】
データサーバ６は、暗証番号データベース９９０及び指紋データベース９９１に記憶された暗証番号及び指紋のデータと、認証部９８０に送信された取得した数字及び読みとった指紋とを照合し、本人の正当性を認証する。
【００４２】
（第５実施形態）
図１１は、本発明の実施形態としての情報処理装置をクレジットカードの本人認証端末７に適用した場合のシステム全体の構成を示した図である。
【００４３】
図１１は、図２Ａの銀行番号取得部２４０がカード番号取得部１０４０に置き換わり、図２Ａの銀行サーバ３が顧客データサーバ８に置き換わっている。さらに、図２Ａの銀行番号データベース２９０が、顧客情報データベース１０９０に置き換わっているのみで、他の構成要素は同様である。
【００４４】
クレジットカードの本人認証端末７は、カード番号取得部１０４０でカード番号を取得し、送信部１０７０を介して、認証部１０８０に送信する。クレジットカード会社の顧客データサーバ８は、ユーザのカード番号と関連付けられた暗証番号及び指紋のデータを、顧客情報データベース１０９０及び指紋データベース１０９１から認証部１０８０に読み出す。
【００４５】
表示部１０１０の表示にしたがってユーザが入力した数字及び指の画像は、数字取得部１０２０及び画像読取部１０３０において取得又は読みとられ、これら数字及び指の画像を送信部１０７０から認証部１０８０に送信される。この認証部１０８０は、取得した数字及び読みとった暗証番号と、顧客情報データベース１０９０及び指紋データベース１０９１から読み出された暗証番号及び指紋のデータとを照合して、ユーザと、カードの使用者とが一致することを認証する。
【００４６】
（実施形態の適用例）
本発明の実施形態としての情報処理装置を、たとえば、病院の受付端末に適用することも可能である。病院の受付端末は、患者の診察券番号を読みとり、暗証番号及び指紋を、病院のデータベースに蓄積された、診察券番号と関連付けられた患者の暗証番号及び指紋のデータと照合して本人の正当性を認証する。
【００４７】
本人の正当性を認証できた場合は、患者に受付番号を交付する。患者は、この交付された受付番号により、当日限り病院内で管理され、診察、診察料支払時等の呼出し時に患者の氏名で呼ばれることなく（本人であることを秘匿して）、診察を終えることができる。
【００４８】
また、本発明の実施形態としての情報処理装置を交通機関又は劇場等の各種チケットの発券機に適用することも可能である。各種チケットは有価証券であり高価なものもある。この発券機は、チケット発券番号、暗証番号及び指紋を読みとり、チケット発券番号、暗証番号、及び指紋と、データベースに蓄積されたチケット発券番号、暗証番号及び指紋とを照合して本人の正当性を確認できた場合に、各種チケットを発券する。
【００４９】
また、調剤薬局において、受付端末でＩＤカードを読みとり、さらに、暗証番号及び指紋を読み取ることにより、データベースに蓄積されたデータと照合して本人の正当性を確認できた場合に、薬を販売する。
【００５０】
本実施形態の情報処理装置によれば、ユーザが一般的に覚えている（たとえば四桁の）暗証番号と指紋とを組み合わせて認証に用いることで、ユーザの負担増を回避しつつ、暗証番号のみの場合、及び指紋のみの場合に比べて、セキュリティーを高めることができる。暗証番号と指紋とを同時に読み取るため、認証に必要な時間が短く、ユーザが長時間待たされることもない。数字パターンはランダムであって、暗証番号の１ケタごとに切り替わるため、暗証番号を覗き見られて不正に取得される可能性を極めて低められる。
【００５１】
（他の実施形態）
以上、本発明の実施形態について詳述したが、それぞれの実施形態に含まれる別々の特徴を如何様に組み合わせたシステム又は装置も、本発明の範疇に含まれる。
【００５２】
また、本発明は、複数の機器から構成されるシステムに適用しても良いし、単体の装置に適用しても良い。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされる画像処理プログラム、あるいはその画像処理プログラムを格納した媒体、その画像処理プログラムをダウンロードさせるＷＷＷサーバも、本発明の範疇に含まれる。
【００５３】
［実施形態の他の表現］
上記の実施形態の一部又は全部は、以下の付記のようにも記載されうるが、以下には限られない。
【００５４】
（付記１）
ユーザの認証を行なうために数字及び指の画像を取得する情報処理装置であって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
を備えたことを特徴とする情報処理装置。
（付記２）
前記表示手段は、さらに、前記画像読取手段において読み取る指の種類を表示することを特徴とする付記１に記載の情報処理装置。
（付記３）
前記表示手段は、前記第１及び第２指紋読取領域を含む複数の指紋読取領域を、それぞれに前記数字を付して表示することを特徴とする付記１又は２に記載の情報処理装置。
（付記４）
前記表示手段は、前記複数の指紋読取領域に対して、前記数字をランダムに表示することを特徴とする付記３に記載の情報処理装置。
（付記５）
前記情報処理装置は、前記数字取得手段及び前記画像読取手段を用いて、複数の数字及び指の画像を取得するものであって、
前記表示手段は、前記数字及び前記指の画像の取得の度に、前記第１及び第２指紋読取領域のそれぞれに、対応付けられる数字を変更して表示することを特徴とする付記１乃至４のいずれかに記載の情報処理装置。
（付記６）
前記数字取得手段で取得した前記数字、及び前記画像読取手段で読み取った前記指の画像を認証させるために送信する送信手段をさらに有することを特徴とする付記１乃至５のいずれかに記載の情報処理装置。
（付記７）
前記情報処理装置は、前記数字取得手段及び前記画像読取手段を用いて、複数の数字及び指の画像を取得するものであって、
前記数字取得手段で取得した複数の数字と、前記画像読取手段で読み取った複数の指の画像とを互いに対応付けて記憶する記憶手段をさらに有することを特徴とする付記１乃至６のいずれかに記載の情報処理装置。
（付記８）
ユーザの認証を行なうために数字及び指の画像を取得する情報処理システムであって
それぞれに数字が対応付けられた第１及び第２指紋読取領域を表示する表示手段と、
前記第１指紋読取領域に対するユーザの指の当接を検知したタイミングで、前記第１指紋読取領域に対応する数字を取得する数字取得手段と、
前記タイミングで、前記第１指紋読取領域において、当接した前記指の画像を読みとる画像読取手段と、
前記数字取得手段で取得した数字及び前記画像読取手段で読み取った前記指の画像を認証する認証手段と、
を備えたことを特徴とする情報処理システム。
（付記９）
ユーザの認証を行なうために数字及び指紋を取得する情報処理方法であって
それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
を含むことを特徴とする情報処理方法。
（付記１０）
ユーザの認証を行なうために数字及び指の画像を取得する情報処理プログラムであって  それぞれに数字が対応付けられた第１及び第２指紋読取領域を表示する表示ステップと、
前記第１指紋読取領域に対するユーザの指の当接を検知したタイミングで、前記第１指紋読取領域に対応する数字を取得する数字取得ステップと、
前記タイミングで、前記第１指紋読取領域において、当接した前記指の画像を読みとる画像読取ステップと、
をコンピュータに実行させることを特徴とする情報処理プログラム。
【図１】
2012059084.tif 000003
【図２Ａ】
2012059084.tif 000004
【図２Ｂ】
2012059084.tif 000005
【図２Ｃ】
2012059084.tif 000006
【図３】
2012059084.tif 000007
【図４】
2012059084.tif 000008
【図５】
2012059084.tif 000009
【図６】
2012059084.tif 000010
【図７】
2012059084.tif 000011
【図８】
2012059084.tif 000012
【図９】
2012059084.tif 000013
【図１０】
2012059084.tif 000014
【図１１】
2012059084.tif 000015